(57)【要約】      （修正有）【課題】スムーズに昇降するとともに、昇降高さが大きいという利点を有する圧力調整可能なガススプリングを提供する。【解決手段】圧力調整可能なガススプリングであって、第一ガススプリングを備え、圧力調整用のガス源２をさらに備え、ガス源の一端は第一ガススプリングに接続され、ガス源の他端はガス源の容積を調整するための調整装置に接続される。調整装置はガス源を収容するためのキャビティ３およびピストン４を備え、ガス源から離れたピストンの一端が駆動アセンブリ５に接続される。駆動アセンブリは、スクリューを備え、スクリューの一端はピストンに接続され、他端はキャビティの外側から突出する。【選択図】図５
0003226936.tif 000002
【実用新案登録請求の範囲】
【請求項１】
圧力調整可能なガススプリングであって、第一ガススプリングを備え、圧力調整用のガス源をさらに備え、前記ガス源の一端は第一ガススプリングに接続され、ガス源の他端はガス源の容積を調整するための調整装置に接続される、ことを特徴とする、
圧力調整可能なガススプリング。
【請求項２】
前記調整装置はガス源を収容するためのキャビティおよびピストンを備え、前記ガス源から離れたピストンの一端が駆動アセンブリに接続される、ことを特徴とする、
請求項１に記載の圧力調整可能なガススプリング。
【請求項３】
前記駆動アセンブリは、スクリューを備え、前記スクリューの一端はピストンに接続され、他端はキャビティの外側から突出する、ことを特徴とする、
請求項2に記載の圧力調整可能なガススプリング。
【請求項４】
前記スクリューのキャビティから突出した突出端にナットが嵌着され、ナットの外に接続管が嵌着され、該接続管の一端はキャビティに接続され、接続管の他端の開口に回転ブロックが取り付けられ、回転ブロックには六角孔が設けられる、ことを特徴とする、
請求項３に記載の圧力調整可能なガススプリング。
【請求項５】
圧力調整可能なガススプリングを備えた昇降装置であって、
請求項１〜４のいずれか一項に記載の圧力調整可能なガススプリングを備え、
第一内側固定管、第二内側固定管、および第一と第二内側固定管の間にまたがるビームアセンブリをさらに備え、前記第一内側固定管内に圧力調整可能なガススプリングの第一ガススプリングが設けられ、第一ガススプリングの昇降端はビームアセンブリに接続され、第二内側固定管内に第二ガススプリングが設けられ、該第二ガススプリングの昇降端はビームアセンブリに接続される、ことを特徴とする、
昇降装置。
【請求項６】
前記昇降装置は、同期機構をさらに備え、
前記同期機構は、
第一ブラケットと、ビームアセンブリの一端が第一ブラケットの一端に接続され、第一ブラケットの他端が第一内側固定管内に嵌合され、
第二ブラケットと、ビームアセンブリの他端が第二ブラケットの一端に接続され、第二ブラケットの他端が第二内側固定管内に嵌合され、
第一可撓性牽引部材と、該第一可撓性牽引部材の一端が第二内側固定管に接続され、第一可撓性牽引部材が第二ブラケットの一端、第一ブラケットの一端、および第一ブラケットの他端に柔軟に嵌合された後、第一可撓性牽引部材の他端が第一内側固定管に接続され、
第二可撓性牽引部材と、を備え、
該第二可撓性牽引部材の一端が第一内側固定管に接続され、第二可撓性牽引部材が第一ブラケットの一端、第二ブラケットの一端、および第二ブラケットの他端に柔軟に嵌合された後、第二可撓性牽引部材の他端が第二内側固定管に接続される、ことを特徴とする、
請求項５に記載の昇降装置。
【請求項７】
前記第一内側固定管は、第一内側管および第一コネクタを備え、第一コネクタは第一内側固定管内に位置し、かつ第一内側管と固定され、前記第二内側固定管は、第二内側管および第二コネクタを備え、第二コネクタは第二内側固定管内に位置し、かつ第二内側管と固定される。前記第一可撓性牽引部材の一端は第二コネクタと固定接続され、第一可撓性牽引部材の他端は第一内側管と固定接続され、第二可撓性牽引部材の一端は第一コネクタと固定接続され、第二可撓性牽引部材の他端は第二内側管と固定接続される。第一ブラケットは、第一ブラケット本体と、第一ブラケット本体の一端内の第一軸上に回転可能に取り付けられた第一回転部材と、第一軸の他端に回転可能に取り付けられた第二回転部材と、第一ブラケット本体の他端に回転可能に取り付けられた第三回転部材と、を備え、
前記第二ブラケットは、第二ブラケット本体と、第二ブラケット本体の一端内の第二軸上に回転可能に取り付けられた第四回転部材と、第二軸の他端に回転可能に取り付けられた第五回転部材と、第二ブラケット本体の他端に回転可能に取り付けられた第六回転部材と、を備え、
前記第一可撓性牽引部材は、第五回転部材、第一回転部材、および第三回転部材と柔軟に嵌合され、前記第二可撓性牽引部材は、第二回転部材、第四回転部材、および第六回転部材と柔軟に嵌合され、第一可動外側管が第一内側固定管上に嵌着され、一端がビームアセンブリの一端に固定され、第二可動外側管が第二内側固定管上に嵌着され、一端がビームアセンブリの他端に固定され、第一ブラケットが第一内側固定管の内にあり、第一スライドガイドアセンブリが第一内側管の外に嵌着され、第二ブラケットが第二内側固定管の内にあり、第二スライドガイドアセンブリが第二内側管の外に嵌着される、ことを特徴とする、
請求項6に記載の昇降装置。
【請求項８】
前記第一スライドガイドアセンブリ、第二スライドガイドアセンブリは全て、対向して設けられた２つの側板アセンブリを備え、２つの側板アセンブリ間は取り外し可能に接続され、前記側板は全て、第一側板と第二側板でヒンジ接続され、第一、第二側板の上端に全て第一ローリングセットが設けられ、第一、第二側板の下端に全て第二ローリングセットが設けられ、前記第一ローリングセットと第一ローリングセットは全て、左右に設けられたウエスト形状のリング溝を備え、該ウエスト形状のリング溝内に複数のボールが均一に設けられる、ことを特徴とする、
請求項７に記載の昇降装置。
【請求項９】
前記ビームアセンブリは、２つの側壁および底壁を有し、２つの側壁と底壁は両端が開いた溝を囲み、開口にいずれも回転ジョイントが接続され、かつ、全ての前記回転ジョイントの底面上にスロットが設けられる、ことを特徴とする、
請求項５に記載の昇降装置。
【請求項１０】
圧力調整可能なガススプリングを備えた昇降テーブルであって、請求項５〜９のいずれか一項に記載の圧力調整可能なガススプリングを備えた昇降装置を備え、前記ビームアセンブリ上にテーブルトップパネルが設けられ、第一内側固定管の下端は第一脚部に接続され、第二内側固定管の下端は第二脚部に接続される、ことを特徴とする、
圧力調整可能なガススプリングを備えた昇降テーブル。
【考案の詳細な説明】
【技術分野】
【０００１】
本考案は、昇降テーブル領域に関し、特に圧力調整可能なガススプリングおよび昇降装置ならびに昇降テーブルに関する。
【背景技術】
【０００２】
現在の昇降テーブルは、人工で機械装置、油圧ロッド、ガス圧ロッドを調整することが多い。現在、昇降テーブルの昇降中に、ケージ上のローラーが回転し、このようにして支柱外側管の昇降中に一定の滑らかさが発生することができ、現在のケージ上には一般的にローラーを採用し、このような構造は比較的単純であり、滑らかさは十分ではなく、かつ昇降の高さは十分ではなく、調整可能な高さは比較的単純で選択的ではない。
【考案の概要】
【０００３】
本考案の目的は、スムーズで昇降高さが大きい圧力調整可能なガススプリングおよび昇降装置ならびに昇降テーブルを提供することである。
本考案の技術的解決手段は以下のとおりである、
圧力調整可能なガススプリングであって、第一ガススプリングを備え、その特徴は、圧力調整用のガス源をさらに含むことであり、上記ガス源の一端は第一ガススプリングに接続され、ガス源の他端はガス源の容積を調整するための調整装置に接続される。
上記調整装置はガス源を収容するためのキャビティおよびピストンを備え、上記ガス源から離れたピストンの一端が駆動アセンブリに接続される。
上記駆動アセンブリは、スクリューを備え、上記スクリューの一端はピストンに接続され、他端はキャビティの外側から突出する。
【０００４】
上記スクリューのキャビティから突出した突出端にナットが嵌着され、ナットの外に接続管が嵌着され、該接続管の一端はキャビティに接続され、接続管の他端の開口に回転ブロックが取り付けられ、回転ブロックには六角孔が設けられる。
【０００５】
さらに、第一内側固定管、第二内側固定管、および第一と第二内側固定管の間にまたがるビームアセンブリを備え、上記第一内側固定管内に圧力調整可能なガススプリングの第一ガススプリングが設けられ、第一ガススプリングの昇降端はビームアセンブリに接続され、第二内側固定管内に第二ガススプリングが設けられ、該第二ガススプリングの昇降端はビームアセンブリに接続される。
上記昇降装置は、同期機構をさらに備え、同期機構は、
第一ブラケットと、ビームアセンブリの一端が第一ブラケットの一端に接続され、第一ブラケットの他端が第一内側固定管内に嵌合される、
第二ブラケットと、ビームアセンブリの他端が第二ブラケットの一端に接続され、第二ブラケットの他端が第二内側固定管内に嵌合される、
【０００６】
第一可撓性牽引部材と、該第一可撓性牽引部材の一端が第二内側固定管に接続され、第一可撓性牽引部材が第二ブラケットの一端、第一ブラケットの一端、および第一ブラケットの他端に柔軟に嵌合された後、第一可撓性牽引部材の他端が第一内側固定管に接続される、
第二可撓性牽引部材と、を含む、
【０００７】
該第二可撓性牽引部材の一端が第一内側固定管に接続され、第二可撓性牽引部材が第一ブラケットの一端、第二ブラケットの一端、および第二ブラケットの他端に柔軟に嵌合された後、第二可撓性牽引部材の他端が第二内側固定管に接続される、
【０００８】
上記第一内側固定管は、第一内側管および第一コネクタを備え、第一コネクタは第一内側固定管内に位置し、かつ第一内側管と固定され、上記第二内側固定管は、第二内側管および第二コネクタを備え、第二コネクタは第二内側固定管内に位置し、かつ第二内側管と固定され、上記第一可撓性牽引部材の一端は第二コネクタと固定接続され、第一可撓性牽引部材の他端は第一内側管と固定接続され、第二可撓性牽引部材の一端は第一コネクタと固定接続され、第二可撓性牽引部材の他端は第二内側管と固定接続される。第一ブラケットは、第一ブラケット本体と、第一ブラケット本体の一端内の第一軸上に回転可能に取り付けられた第一回転部材と、第一軸の他端に回転可能に取り付けられた第二回転部材と、第一ブラケット本体の他端に回転可能に取り付けられた第三回転部材と、を含む。第二ブラケットは、第二ブラケット本体と、第二ブラケット本体の一端内の第二軸上に回転可能に取り付けられた第四回転部材と、第二軸の他端に回転可能に取り付けられた第五回転部材と、第二ブラケット本体の他端に回転可能に取り付けられた第六回転部材と、を含む。上記第一可撓性牽引部材は、第五回転部材、第一回転部材、および第三回転部材と柔軟に嵌合され、上記第二可撓性牽引部材は、第二回転部材、第四回転部材、および第六回転部材と柔軟に嵌合され、第一可動外側管が第一内側固定管上に嵌着され、一端がビームアセンブリの一端と固定され、第二可動外側管が第二内側固定管上に嵌着され、一端がビームアセンブリの他端と固定され、第一ブラケットが第一内側固定管の内にあり、第一スライドガイドアセンブリが第一内側管の外に嵌着され、第二ブラケットが第二内側固定管の内にあり、第二スライドガイドアセンブリが第二内側管の外に嵌着される（第一、第二スライドガイドアセンブリはいずれも第一、第二ブラケット内になく、第一内側固定管は、第一内側管および第一コネクタで構成され、第二内側固定管は、第二内側管および第二コネクタで構成される）。
【０００９】
上記第一スライドガイドアセンブリ、第二スライドガイドアセンブリは全て、対向して設けられた２つの側板アセンブリを備え、２つの側板アセンブリ間は取り外し可能に接続され、上記側板は全て、第一側板と第二側板でヒンジ接続され、第一、第二側板の上端に全て第一ローリングセットが設けられ、第一、第二側板の下端に全て第二ローリングセットが設けられ、上記第一ローリングセットと第一ローリングセットは全て、左右に設けられたウエスト形状のリング溝を備え、該ウエスト形状のリング溝内に複数のボールが均一に設けられる。
【００１０】
上記ビームアセンブリは、２つの側壁および底壁を有し、２つの側壁と底壁は両端が開いた溝を囲み、開口にいずれも回転ジョイントが接続され、かつ、回転ジョイントの底面上にスロットを設け、２つのスロットは、第一ブラケット、第二ブラケット、第一可撓性牽引部材および第二可撓性牽引部材がそれぞれ動かされるときの歩留まりを提供する。
【００１１】
圧力調整可能なガススプリングを備えた昇降装置を備え、上記ビームアセンブリ上にテーブルトップパネルが設けられ、第一内側固定管の下端は第一脚部に接続され、第二内側固定管の下端は第二脚部に接続される。
本考案の有益な効果は以下のとおりである、
【００１２】
圧力管を設けて圧力管の排気端を第一ガス圧ロッドの外側空気室と連通することにより、圧力管が第一ガス圧ロッドの外側空気室を加圧すると、第一ガス圧ロッドの圧力支持能力が大幅に向上することができ、かつ、ガス圧ロッドの高さをより高くなり、一方で、圧力管を採用することにより、使用者がテーブルの高さが十分でないと感じた場合、現場の状況に応じて圧力管を膨張させて、第一ガス圧ロッドの外側空気室への圧力管の圧力を高めて、より高い高さを得ることができ、これにより、選択性を向上させ、ポストブロッキングにより、ジョイントのシール性能を大幅に向上させる。
【図面の簡単な説明】
【００１３】
以下の図面による詳細な説明により、本考案の上記目的および他の目的、特徴および利点はより明らかになる。
【図１】図１は本考案の構造概略図である。
【図２】図２は本考案の第一可撓性牽引部材の構造概略図である。
【図３】図３は本考案の第一ブラケットの構造概略図である。
【図４】図４は本考案の駆動装置の構造概略図である。
【図５】図５は本考案のＡ−Ａ断面の構造概略図である。
【図６】図６は本考案のスクリューの構造概略図である。
【図７】図７は本考案の第四回転部材の構造概略図である。
【図８】図８は本考案のビームアセンブリの構造断面図である。
【００１４】
９０１−第一孔、９０２−第一軸、９０３−第一ブラケット本体、９０４−第一回転部材、９０５−第二回転部材、９０６−第一マンドレル、９０７−第三回転部材
１００１−第二孔、１００２−第二軸、１００４−第二ブラケット本体、１００５−第四回転部材、１００６−第五回転部材、１００８−第六回転部材
１５０１−第一側板、１５０２−第二側板、１５０３−リング溝、１５０４−ボール、１５０６−リミットストップ
１０１−Ｕ型フレーム、６０１−第一押圧ブロック、７０１−第二押圧ブロック
８０１−側壁、８０２−底壁、８０３−溝、８０４−回転ジョイント、８０５−スロット、８０６−取り付け孔、８０７−アークスロット
【考案を実施するための形態】
【００１５】
図１に示すとおり、図１〜７に示すとおり、本考案の圧力調整可能なガススプリングは、第一ガススプリングを備え、その特徴は、圧力調整用のガス源２をさらに含むことであり、上記ガス源の一端は第一ガススプリングに接続され、ガス源の他端はガス源の容積を調整するための調整装置に接続される。以下は、各部分およびそれらの間の関係について詳細に説明する、
【００１６】
図３および５に示すとおり、１つまたは複数の実施形態において、上記調整装置は、ガス源を収容するためのキャビティ３およびピストン４を備え、上記ガス源から離れたピストンの一端は駆動アセンブリ５に接続され、駆動アセンブリはピストンを駆動してキャビティ内に往復させることにより、ガス源の容積を変更させ、それによってガス源に接続された第一ガススプリングの圧力の大きさを調整することによって圧力の調整可能性を実現し、ガススプリングはより大きな圧力と重力に耐えることができる。このうち、図５〜６のように、それぞれ駆動アセンブリのいくつかの実施形態であり、具体的な実施例は、以下のいくつかのを備え、１）上記駆動アセンブリはスクリュー５０１を備え、上記スクリューの一端がピストンに接続され、他端がキャビティの外側から突出し、スクリューのキャビティから突出した突出端上に回転ハンドホイール５０２が取り付けられ、回転ハンドホイールの駆動によってスクリューを往復移動させ、それにより、スクリューに接続されたピストンを移動させ、２）上記スクリューのキャビティから突出した突出端上にナット５０３が嵌着され、ナットの外に接続管５０４が嵌着され、該接続管の一端はキャビティに接続され、接続管の他端の開口に回転ブロック５０５が取り付けられ、回転ブロック上に六角孔が設けられ、六角孔の外にレンチを接続することができ、接続管の回転によってナットを回転させ、また、接続管の位置が固定されるため、ナットの回転によってスクリューを前後に往復移動させ、それによってキャビティ内のピストンを押してガス源を絞って、ガス源のガスを第一ガススプリングに流入させられ、それにより、ガススプリングの圧力を調整する。
【００１７】
圧力調整可能なガススプリングを備えた昇降装置は、圧力調整可能なガススプリング、第一内側固定管６、第二内側固定管７、および第一と第二内側固定管の間にまたがるビームアセンブリ８を備え、上記第一内側固定管内に圧力調整可能なガススプリングの第一ガススプリングが設けられ、第一ガススプリングの昇降端はビームアセンブリに接続され、第二内側固定管内に第二ガススプリングが設けられ、該第二ガススプリングの昇降端はビームアセンブリに接続される。以下は、各部分およびそれらの間の関係について詳細に説明する、
【００１８】
図２に示すとおり、１つまたは複数の実施形態において、第一内側固定管と第二内側固定管内との間はビームアセンブリによって接続され、第一内側固定管内に圧力調整可能な第一ガススプリングがあり、第一ガススプリングのガス源は第一内側固定管内または第一内側固定管外に位置することができ、昇降を実現するために、第一ガススプリングが作動するとビームアセンブリの一側を往復移動させ、第二内側固定管内の第二ガススプリングが作動するとビームアセンブリの他側を往復移動させ、かつ、第一ガススプリングにガス源が接続されるため、圧力の調整を実現することができ、ビームアセンブリがより大きな圧力、重力に耐えることができる。
【００１９】
図２〜７に示すとおり、同期機構は、第一ブラケット９、第二ブラケット１０、第一可撓性牽引部材１１および第二可撓性牽引部材１２を備え、以下は、同期機構の構造について詳細に説明する、
【００２０】
第一ブラケットの他端が第一内側固定管内に嵌合され、一端がビームアセンブリの一端に接続され、第一ガススプリングの出力端がビームアセンブリに接続されると、第一ガススプリングの出力端の昇降によってビームアセンブリおよび第一ブラケットを昇降させ、第二ブラケットの他端が第二内側固定管内に嵌合され、一端がビームアセンブリの一端に接続され、第二ガススプリングの出力端の昇降によってビームアセンブリおよび第二ブラケットを昇降させ、このうち、第一ブラケットと第一ガススプリングとの好ましい接続方式、第二ブラケットと第二ガススプリングとの好ましい接続方式は、ＣＮ１０８７０３４９５の中で開示された構造であり、ここでは説明しない。
【００２１】
第一ガススプリングの出力端から離れた一端がビームアセンブリに接続されると、第一ガススプリングが作動すると、出力端が固定されるため、第一ガススプリングの出力端から離れた一端が昇降してビームアセンブリおよび第一ブラケットを昇降させ、このうち、第一ブラケットと第一ガススプリングとの好ましい接続方式は、第一ブラケットの一端に第一孔９０１が設けられ、第一ガススプリングの昇降端にＵ型フレームが設けられ、１つの第一軸９０２は２つの第一孔およびＵ型フレームの取り付け孔を貫通し、第一ガススプリングおよび第一ブラケットを一体に接続させ、好ましくは、第一ブラケットの一部は第一内側固定管内に位置し、第一ガススプリングの一部も第一内側固定管内に位置する。第一ブラケット、第一ガススプリングと第一内側固定管との間に接続関係がなく、したがって、第一ガススプリングの昇降端の昇降によって第一ブラケットを昇降させると、第一内側固定管は移動しない。第二ブラケットの一端が第二ガススプリングの昇降端に接続され、第二ブラケットが第二ガススプリングの昇降と共に昇降し、第二ブラケットと第二ガススプリングとの好ましい接続方式は、第二ブラケットの一端に第二孔１００１が設けられ、第二ガススプリングの昇降端に第二取り付け孔が設けられ、１つの第二軸１００２は２つの第一孔および第二取り付け孔を貫通し、第二ガススプリングおよび第二ブラケットを一体に接続させ、好ましくは、第二ブラケットの一部は第二内側固定管内に位置し、第二ガススプリングの一部も第二内側固定管内に位置する。第二ブラケット、第二ガススプリングと第二内側固定管との間に接続関係がなく、したがって、第二ガススプリングの昇降端の昇降によって第二ブラケットを昇降させると、第二内側固定管は移動しない。
【００２２】
図３〜図７に示すとおり、第一ブラケットは、第一ブラケット本体９０３、第一回転部材９０４、第二回転部材９０５および第一軸を備え、第一回転部材は、第一ブラケット本体の一端内の第一軸上に回転可能に取り付けられ、第二回転部材は、第一軸の他端上に回転可能に取り付けられ、第三回転部材は、第一ブラケット本体の他端上に回転可能に取り付けられ、第一ブラケット本体の断面はＵ型であり、好ましくは、第一ブラケット本体は溝形鋼であり、第一回転部材と第二回転部材の両方は第一ブラケット本体の一端の第一軸上に位置し、上記第一軸は第一回転部材および第二回転部材を貫通し、第一回転部材および第二回転部材を第一軸によって支持されることにより、第一回転部材および第二回転部材が回転することができる。第三回転部材９０７は第一ブラケット本体の他端の溝内に位置し、第三回転部材は第一マンドレル９０６（図示せず）によって支持されることにより、第三回転部材が回転することができる。第一回転部材、第二回転部材および第三回転部材は、ベアリングまたはローラーまたはスプロケットのいずれかである。
【００２３】
図３〜図７に示すとおり、第二ブラケットは、第二ブラケット本体１００４、第四回転部材１００５、第五回転部材１００６および第二軸を備え、第四回転部材は、第二ブラケット本体の一端内の第二軸上に回転可能に取り付けられ、第五回転部材は、第一軸の他端上に回転可能に取り付けられ、第六回転部材１００８は、第二ブラケット本体の他端上に回転可能に取り付けられ、第二ブラケット本体の断面はＵ型であり、好ましくは、第二ブラケット本体は溝形鋼であり、第四回転部材と第五回転部材の両方は第二ブラケット本体の一端の第二軸上に位置し、上記第二軸は第四回転部材および第五回転部材を貫通し、第四回転部材および第五回転部材を第二軸によって支持されることにより、第四回転部材および第五回転部材が回転することができる。第六回転部材は第二ブラケット本体の他端の溝内に位置し、第六回転部材は第二マンドレル（図示せず）によって支持されることにより、第六回転部材が回転することができる。第四回転部材、第五回転部材および第六回転部材は、ベアリングまたはローラーまたはスプロケットのいずれかである。
【００２４】
図２〜図７に示すとおり、第一可撓性牽引部材の一端は第二内側固定管と固定接続され、第一可撓性牽引部材は、第二ブラケットの一端、第一ブラケットの一端、第一ブラケットの他端と柔軟に嵌合され、第一可撓性牽引部材の他端は第一内側固定管と固定接続される。好ましくは、上記第一可撓性牽引部材は、第五回転部材、第一回転部材および第三回転部材と柔軟に嵌合され、該柔軟な嵌合は、ベルトとプーリーの嵌合に似て、すなわち、第一可撓性牽引部材は、第五回転部材、第一回転部材、および第三回転部材によって張力がかけられる。
【００２５】
図２〜図７に示すとおり、第二可撓性牽引部材の一端は第一内側固定管と固定接続され、第二可撓性牽引部材は、第一ブラケットの一端、第二ブラケットの一端、第二ブラケットの他端と柔軟に嵌合され、第二可撓性牽引部材の他端は第二内側固定管と固定接続される。上記第二可撓性牽引部材は、第二回転部材、第四回転部材および第六回転部材と柔軟に嵌合され、該柔軟な嵌合は、ベルトとプーリーの嵌合に似て、すなわち、第二可撓性牽引部材は、第六回転部材、第二回転部材、および第四回転部材によって張力がかけられる。
【００２６】
図２〜図７に示すとおり、上記第一内側固定管は、第一内側管および第一コネクタを備え、第一内側管の下端は第一脚部に接続され、第一コネクタの少なくとも一部は第一内側管内に位置し、かつ第一内側管と固定され、第一コネクタは、第一Ｕ型接続部および第一Ｕ型接続部の両端が曲げによって形成された第一曲げ接続部によって構成され、上記第一内側管の管壁上に第一貫通孔が設けられ、第一Ｕ型接続部は第一貫通孔を貫通して第一内側管内に位置し、第一曲げ接続部は第一内側管の外部に位置し、かつ第一内側管と固定接続される。上記第二内側固定管は、第二内側管および第二コネクタを備え、第二コネクタの少なくとも一部は第二内側管内に位置し、かつ第一内側管と固定され、第二コネクタは、第にＵ型接続部および第二Ｕ型接続部の両端が曲げによって形成された第二曲げ接続部によって構成され、上記第二内側管の管壁上に第二貫通孔が設けられ、第二Ｕ型接続部は第二貫通孔を貫通して第二内側管内に位置し、第二曲げ接続部は第二内側管の外部に位置し、かつ第二内側管と固定接続される。第一コネクタと第二コネクタとの接続方式は、ＣＮ１０８７０３４９５の中で開示された構造であり、ここでは説明しない。または、第一、第二コネクタはまた内側管上に開口して曲げて１つの固定ピースを形成して固定する。
【００２７】
図２〜図７に示すとおり、第一撓性牽引部材の一端は第二コネクタと固定接続され、第一撓性牽引部材の他端は第一内側固定管と固定接続され、第二撓性牽引部材の一端は第一コネクタと固定接続され、第二撓性牽引部材の他端は第二内側固定管と固定接続される。好ましくは、第二撓性牽引部材の他端は第二内側固定管内の第二押圧ブロック７０１とネジまたはピンによって固定接続され、第二撓性牽引部材の一端は第一コネクタの第一Ｕ型接続部とネジまたはピンによって固定接続され、第一撓性牽引部材の他端は第一内側固定管内の第一押圧ブロック６０１とネジまたはピンによって固定接続され、第一撓性牽引部材の一端は第二コネクタの第二Ｕ型接続部とネジまたはピンによって固定接続される。
【００２８】
図２〜図７に示すとおり、上記第一撓性牽引部材および第二第一撓性牽引部材はそれぞれロープ状部材またはベルト状部材またはワイヤーまたはチェーンのいずれかである。第一撓性牽引部材および第二第一撓性牽引部材はロープ状部材またはベルト状部材またはワイヤーを採用するとき、第一回転部材、第二回転部材、第三回転部材、第四回転部材、第五回転部材、第六回転部材はベアリングまたはローラーを採用し、これらのベアリングまたはローラーの外周面に溝が設けられ、第一撓性牽引部材および第二第一撓性牽引部材を嵌合させるために使用される。
【００２９】
図２〜図７に示すとおり、上記第一撓性牽引部材および第二第一撓性牽引部材はチェーンを採用するとき、第一回転部材、第二回転部材、第三回転部材、第四回転部材、第五回転部材、第六回転部材はスプロケットを採用する。
【００３０】
図１〜図６に示すとおり、本考案のテーブルは、ビームアセンブリ、第一可動外側管１３および第二可動外側管１４をさらに備え、ビームアセンブリの一端は第一軸によって第一ガススプリングの昇降端と固定され、ビームアセンブリの他端は第二軸によって第二ガススプリングの昇降端と固定され、このように第一ガススプリングおよび第二ガススプリングの昇降端が昇降すると、ビームアセンブリは第一ガススプリングおよび第二ガススプリングと共に昇降する。
【００３１】
図１〜図６に示すとおり、第一可動外側管の一端はビームアセンブリの一端と固定され、第一可動外側管はビームアセンブリの昇降と共に昇降する。該第一可動外側管は第一内側管上に嵌着され、すなわち、第一可動外側管は第一内側管上に嵌着され、第一内側管上に第一スライドアセンブリが取り付けられ、好ましくは、第一スライドアセンブリは第一内側管の他端の外周面上に固定され、第一スライドアセンブリ１５は第二可動外側管の内壁面と嵌合され、第二可動外側管の昇降をガイドする。上記第一スライドガイドアセンブリは、対向して設けられた２つの側板アセンブリを備え、２つの側板アセンブリ間は取り外し可能に接続され、上記側板は全て、第一側板１５０１と第二側板１５０２でヒンジ接続され、第一、第二側板の上端に全て第一ローリングセットが設けられ、第一、第二側板の下端に全て第二ローリングセットが設けられ、上記第一ローリングセットと第一ローリングセットは全て、左右に設けられたウエスト形状のリング溝を備え、該ウエスト形状のリング溝内に複数のボールが均一に設けられる。リング溝にボールを配置し、ボールの転がりの使用により、昇降シートの外側の支柱外側管が昇降動作中にスタックしにくく、移動がよりスムーズになる。
【００３２】
図１〜図６に示すとおり、第二可動外側管の一端はビームアセンブリの他端と固定され、第二可動外側管はビームアセンブリの昇降と共に昇降する。第二可動外側管は第二内側管上に嵌着される。すなわち、第二可動外側管は第二内側管上に嵌着され、第二内側管上に第二スライドアセンブリが取り付けられ、好ましくは、第二スライドアセンブリは第二内側管の他端の外周面上に固定され、第二スライドアセンブリは第二可動外側管の内壁面と嵌合され、第二可動外側管の昇降をガイドする。第二スライドガイドアセンブリは、対向して設けられた２つの側板アセンブリを備え、２つの側板アセンブリ間は取り外し可能に接続され、上記側板は全て、第一側板と第二側板でヒンジ接続され、第一、第二側板の上端に全て第一ローリングセットが設けられ、第一、第二側板の下端に全て第二ローリングセットが設けられ、上記第一ローリングセットと第一ローリングセットは全て、左右に設けられたウエスト形状のリング溝を備え、該ウエスト形状のリング溝内に複数のボールが均一に設けられる。
【００３３】
上記ウエスト形状のリング溝の少なくとも片側の長辺上にスロットが設けられる。スロットを設けることにより、リング溝の長辺側の深さがより大きくなり、ボールが圧縮されると、より大きな圧縮ツールが提供され、支柱外側管が昇降すると、嵌合効果がより高くなる。
【００３４】
上記ウエスト形状のリング溝の（標準楕円滑走路の形状と類似し、すなわち、２本の直線溝と２本の半円形溝で接続される）外縁は上向きに延びて、かつ内向きに曲げてリング溝の外縁形状と合わせたリミットストップを形成する。リミットストップ１５０６を設けることによって溝からボールが出ないようにする。
【００３５】
上記第一ローリングセットと第二ローリングセットとの間の保持フレーム本体の長側板上にいずれも取り付け溝が設けられる。取り付け溝を設けることによりスライドガイドアセンブリを取り付けやすい。
上記テーブルトップ１６は上記同期昇降機構中の同期機構と固定される。テーブルトップはビームアセンブリと固定される。
上記ガス源はビームアセンブリ上に位置し、上記圧力調整可能なガススプリングのガス源は第一ガススプリングと接続される。
【００３６】
上記第一ガススプリングの昇降端は出力端から離れた一端であり、上記第一ガススプリングの出力端から離れた一端のケーシング側面は第一ブラケットと接続軸によって接続される。
【００３７】
ビームアセンブリは、具体的には、ビームアセンブリまたは特許番号ＣＮ１０９３１５９２５に開示されるような送電コンポーネント構造であってもよく、ここで説明しない。ビームアセンブリはまた、図８に示すような構造を採用することができ、上記ビームアセンブリは、側壁８０１および底壁８０２を有し、側壁は好ましくは２つであり、２つの側壁と底壁は両端が開いている溝８０３を囲み、開口に“Ｕ”型の回転ジョイント８０４が取り外し可能に接続され、かつ、回転ジョイントの底面上にスロット８０５が設けられ、２つのスロットは、第一ブラケット、第二ブラケット、第一可撓性牽引部材および第二可撓性牽引部材がそれぞれ動かされるときの歩留まりを提供し、形成されたスロットは、外から第一可撓性牽引部材および第二可撓性牽引部材を見えないように、第一可撓性牽引部材および第二可撓性牽引部材を収容することができ、具体的に言えば、側壁両側はいずれも外向きに延びて延び段を形成し、延び段上にアーチスロットが設けられ、上記回転ジョイントとアーチスロット８０７に対応する位置に少なくとも１つのアーチスロットと嵌合した取り付け孔８０６が設けられ、取り付け孔は好ましくは２つである。回転ジョイントが溝内に取り外し可能に接続され、かつ、溝両側の回転ジョイントはそれぞれ第一ブラケット（および第一内側固定管および第一可動外側管）、第二ブラケット（および第二内側固定管および第二可動外側管）に接続され、このようにして回転ジョイントが内向きに回転して取り付けるとき、第一ブラケット（および第一内側固定管および第一可動外側管）、第二ブラケット（および第二内側固定管および第二可動外側管）をそれぞれ内向きに回転させ、輸送中に回転ジョイントが内向きに回転した後に、ボルト、取り付け孔および溝接続によって、収容効果を効果的に実現することができ、輸送しやすく、目的地に輸送されて取り付ける必要があるとき、ボルトを外して、ジョイントを回転して外向きに回転した後にルト、取り付け孔および溝接続によって取り付けることでよい。
本考案の動作過程は以下のとおりである、
【００３８】
テーブルのテーブルトップを上昇させる必要があるとき、スイッチによって第一ガススプリングおよび第二ガススプリングを作動させ、第一ガススプリングは動力を第一軸に伝達し、第二ガススプリングは動力を第二軸に伝達し、第一軸および第二軸によって、ビームアセンブリ、テーブルトップ、第一ブラケット本体および第二ブラケット本体を上昇させ、そして、第一回転部材および第二回転部材が第一軸および第一ブラケット本体に接続され、第三回転部材が第一マンドレルによって第一ブラケット本体に接続され、第四回転部材および第五回転部材が第二軸によって第二ブラケット本体に接続され、第六回転部材が第二マンドレルによって第一ブラケット本体に接続されるため、第一ブラケット本体および第二ブラケット本体が上昇するとき、第一回転部材、第二回転部材、第三回転部材は第一ブラケット本体と共に上昇し、第一コネクタおよび第二コネクタは移動せず、このとき、第一コネクタと第三回転部材との間の間隔が小さくなり、第二コネクタと第六回転部材との間の間隔が小さくなり、第一回転部材および第五回転部材は、第一可撓性牽引部材に上向きの引っ張り力を形成し、第一可撓性牽引部材を強制的に移動させ、移動方向は、第一回転部材が第五回転が位置する方向へ移動し、第二回転部材および第四回転部材は、第二可撓性牽引部材に上向きの引っ張り力を形成し、第二可撓性牽引部材を強制的に移動させ、移動方向は、第四回転部材が第二回転が位置する方向へ移動し、このように、第一ガススプリングおよび第二ガススプリングが上昇するとき、第一可撓性牽引部材および第二可撓性牽引部材は第一ガススプリングおよび第二ガススプリングに牽制作用を形成し、第一ガススプリングおよび第二ガススプリングの上昇を同期させる。逆に、第一ガススプリングおよび第二ガススプリングが降下するとき、同様に、第一可撓性牽引部材および第二可撓性牽引部材は第一ガススプリングおよび第二ガススプリングに牽制作用を形成し、第一ガススプリングおよび第二ガススプリングの降下を同期させる。
【００３９】
上記のように、それは、本考案の好ましい実施例のみであり、本考案の実施形態に限定されるものではなく、本考案の教示による上記実施例に対する簡単な修正および同等の変更は、本考案の保護範囲内である。
【符号の説明】
【００４０】
１−第一ガススプリング、２−ガス源、３、キャビティ、４、ピストン、５−駆動アセンブリ、６−第一内側固定管、７−第二内側固定管、８−ビームアセンブリ、９−第一ブラケット、１０−第二ブラケット、１１−第一可撓性牽引部材、１２−第二可撓性牽引部材、１３−第一可動外側管、１４−第二可動外側管、１５−第一スライドガイドアセンブリ、１６−テーブルトップ
５０１−スクリュー、５０２−回転ハンドホイール、５０３−ナット、５０４−接続管、５０５−回転ブロック
【図１】
0003226936.tif 000003
【図２】
0003226936.tif 000004
【図３】
0003226936.tif 000005
【図４】
0003226936.tif 000006
【図５】
0003226936.tif 000007
【図６】
0003226936.tif 000008
【図７】
0003226936.tif 000009
【図８】
0003226936.tif 000010
【手続補正書】
【提出日】令和2年4月21日(2020.4.21)
【手続補正１】
【補正対象書類名】実用新案登録請求の範囲
【補正対象項目名】全文
【補正方法】変更
【補正の内容】
【実用新案登録請求の範囲】
【請求項１】
圧力調整可能なガススプリングであって、第一ガススプリングを備え、圧力調整用のガス源をさらに備え、前記ガス源の一端は第一ガススプリングに接続され、ガス源の他端はガス源の容積を調整するための調整装置に接続される、ことを特徴とする、
圧力調整可能なガススプリング。
【請求項２】
前記調整装置はガス源を収容するためのキャビティおよびピストンを備え、前記ガス源から離れたピストンの一端が駆動アセンブリに接続される、ことを特徴とする、
請求項１に記載の圧力調整可能なガススプリング。
【請求項３】
前記駆動アセンブリは、スクリューを備え、前記スクリューの一端はピストンに接続され、他端はキャビティの外側から突出する、ことを特徴とする、
請求項2に記載の圧力調整可能なガススプリング。
【請求項４】
前記スクリューのキャビティから突出した突出端にナットが嵌着され、ナットの外に接続管が嵌着され、該接続管の一端はキャビティに接続され、接続管の他端の開口に回転ブロックが取り付けられ、回転ブロックには六角孔が設けられる、ことを特徴とする、
請求項３に記載の圧力調整可能なガススプリング。
【請求項５】
圧力調整可能なガススプリングを備えた昇降装置であって、
請求項１〜４のいずれか一項に記載の圧力調整可能なガススプリングを備え、
第一内側固定管、第二内側固定管、および第一と第二内側固定管の間にまたがるビームアセンブリをさらに備え、前記第一内側固定管内に圧力調整可能なガススプリングの第一ガススプリングが設けられ、第一ガススプリングの昇降端はビームアセンブリに接続され、第二内側固定管内に第二ガススプリングが設けられ、該第二ガススプリングの昇降端はビームアセンブリに接続される、ことを特徴とする、
昇降装置。
【請求項６】
前記昇降装置は、同期機構をさらに備え、
前記同期機構は、
第一ブラケットと、ビームアセンブリの一端が第一ブラケットの一端に接続され、第一ブラケットの他端が第一内側固定管内に嵌合され、
第二ブラケットと、ビームアセンブリの他端が第二ブラケットの一端に接続され、第二ブラケットの他端が第二内側固定管内に嵌合され、
第一可撓性牽引部材と、該第一可撓性牽引部材の一端が第二内側固定管に接続され、第一可撓性牽引部材が第二ブラケットの一端、第一ブラケットの一端、および第一ブラケットの他端に柔軟に嵌合された後、第一可撓性牽引部材の他端が第一内側固定管に接続され、
第二可撓性牽引部材と、を備え、
該第二可撓性牽引部材の一端が第一内側固定管に接続され、第二可撓性牽引部材が第一ブラケットの一端、第二ブラケットの一端、および第二ブラケットの他端に柔軟に嵌合された後、第二可撓性牽引部材の他端が第二内側固定管に接続される、ことを特徴とする、
請求項５に記載の昇降装置。
【請求項７】
前記第一内側固定管は、第一内側管および第一コネクタを備え、第一コネクタは第一内側固定管内に位置し、かつ第一内側管と固定され、
前記第二内側固定管は、第二内側管および第二コネクタを備え、第二コネクタは第二内側固定管内に位置し、かつ第二内側管と固定され、
前記第一可撓性牽引部材の一端は第二コネクタと固定接続され、第一可撓性牽引部材の他端は第一内側管と固定接続され、第二可撓性牽引部材の一端は第一コネクタと固定接続され、第二可撓性牽引部材の他端は第二内側管と固定接続され、
第一ブラケットは、第一ブラケット本体と、第一ブラケット本体の一端内の第一軸上に回転可能に取り付けられた第一回転部材と、第一軸の他端に回転可能に取り付けられた第二回転部材と、第一ブラケット本体の他端に回転可能に取り付けられた第三回転部材と、を備え、
前記第二ブラケットは、第二ブラケット本体と、第二ブラケット本体の一端内の第二軸上に回転可能に取り付けられた第四回転部材と、第二軸の他端に回転可能に取り付けられた第五回転部材と、第二ブラケット本体の他端に回転可能に取り付けられた第六回転部材と、を備え、
前記第一可撓性牽引部材は、第五回転部材、第一回転部材、および第三回転部材と柔軟に嵌合され、前記第二可撓性牽引部材は、第二回転部材、第四回転部材、および第六回転部材と柔軟に嵌合され、第一可動外側管が第一内側固定管上に嵌着され、一端がビームアセンブリの一端に固定され、第二可動外側管が第二内側固定管上に嵌着され、一端がビームアセンブリの他端に固定され、第一ブラケットが第一内側固定管の内にあり、
第一スライドガイドアセンブリが第一内側管の外に嵌着され、第二ブラケットが第二内側固定管の内にあり、第二スライドガイドアセンブリが第二内側管の外に嵌着される、ことを特徴とする、
請求項6に記載の昇降装置。
【請求項８】
前記第一スライドガイドアセンブリ、第二スライドガイドアセンブリは全て、対向して設けられた２つの側板アセンブリを備え、２つの側板アセンブリ間は取り外し可能に接続され、前記２つの側板アセンブリは全て、第一側板と第二側板でヒンジ接続され、第一、第二側板の上端に全て第一ローリングセットが設けられ、第一、第二側板の下端に全て第二ローリングセットが設けられ、前記第一ローリングセットと第二ローリングセットは全て、左右に設けられたウエスト形状のリング溝を備え、該ウエスト形状のリング溝内に複数のボールが均一に設けられる、ことを特徴とする、
請求項７に記載の昇降装置。
【請求項９】
前記ビームアセンブリは、２つの側壁および底壁を有し、２つの側壁と底壁は両端が開いた溝を囲み、開口にいずれも回転ジョイントが接続され、かつ、全ての前記回転ジョイントの底面上にスロットが設けられる、ことを特徴とする、
請求項５に記載の昇降装置。
【請求項１０】
圧力調整可能なガススプリングを備えた昇降テーブルであって、請求項５〜９のいずれか一項に記載の圧力調整可能なガススプリングを備えた昇降装置を備え、前記ビームアセンブリ上にテーブルトップパネルが設けられ、第一内側固定管の下端は第一脚部に接続され、第二内側固定管の下端は第二脚部に接続される、ことを特徴とする、
圧力調整可能なガススプリングを備えた昇降テーブル。